(57)【特許請求の範囲】
【請求項１】
天井内に設置される箱形状のユニット本体を備え、該ユニット本体内に熱交換器および送風ユニットが設置されている天井埋め込み型空気調和機において、
前記送風ユニットは、略直角に屈曲され、一面が前記ユニット本体内を吸込み側領域と吹出し側領域とに仕切る鉛直な仕切り板、他面が該送風ユニットのファンおよびモータを支持する水平な支持板とされた支持部材と一体的に構成され、
該送風ユニットは、前記ユニット本体の天板内面に一端側から他端側にかけて所定間隔で互いに平行に敷設された一対のレール部材に対して、前記支持部材の前記支持板を介して前記ユニット本体の一側面側に設けられている開口部から前記ユニット本体内にスライド自在に挿入設置されることにより、前記ユニット本体の天板に着脱自在に架装されているとともに、前記ファンの吹出し口が前記支持部材の前記仕切り板を貫通して吹出し側領域に吐出されていることを特徴とする天井埋め込み型空気調和機。
【請求項２】
前記レール部材は、断面がクランク状に曲げ成形された板材により構成され、そのレール部分が互いに対向されて前記ユニット本体の天板内面に固定設置されていることを特徴とする請求項１に記載の天井埋め込み型空気調和機。
【請求項３】
前記開口部には、蓋部材が着脱自在に設置されており、該蓋部材が制御ボックスの取付け台とされていることを特徴とする請求項１又は２に記載の天井埋め込み型空気調和機。
【請求項４】
前記送風ユニットは、複数組の前記ファンおよび前記モータにより構成され、この複数組のファンおよびモータは、少なくとも２以上の送風ユニット単位に分割され、各々がユニット単位で前記一対のレール部材を介して前記ユニット本体内にスライド自在に挿入設置されていることを特徴とする請求項１ないし３のいずれかに記載の天井埋め込み型空気調和機。
【発明の詳細な説明】
【技術分野】
【０００１】
本発明は、ユニット本体が天井内に埋め込み設置される天井埋め込み型空気調和機に関するものである。
【背景技術】
【０００２】
天井埋め込み型の空気調和機は、ユニット本体が天井内に設置されているため、メンテナンス時において、作業空間を確保することが非常に難しく、天井に設けられている点検口を利用して必要な部品を取り外し、それを室内側に取り出すことによってメンテナンスしているのが実情である。このため、制御ボックス等は、ユニット本体の外部側面に着脱自在に取付けられているとともに、ユニット本体内に設置されている送風ファンおよびモータ等からなる送風ユニットについても、ユニット本体内から送風ユニットごと取り出しできるように着脱自在に設置されている。
【０００３】
特許文献１には、ユニット本体の上面パネルに対して一対の支持レールを設け、該支持レールに沿って送風ユニットの羽根車およびモータを一体的に側面パネルに設けられている点検口からユニット本体内にスライド挿入し、羽根車がユニット本体の背面パネルに固定設置されているファンケース内にセットされる構成とすることによって、送風ユニットを着脱自在としたものが提示されている。
【０００４】
また、特許文献２には、本体のベース上に対向設置された一対のフレームに、ファンモータベースを載置する一対の支持金具を設け、この一対の支持金具上に、ファンモータが取付けられているファンモータベースを上方から挿入載置した後、所定のセット位置までスライド移動させて固定することにより、ファンモータを着脱自在となし、メンテナンスの容易化を図ったものが提示されている。
【先行技術文献】
【特許文献】
【０００５】
【特許文献１】特公平７−８４９３０号公報
【特許文献２】実用新案登録第２５６１９０６号公報
【発明の概要】
【発明が解決しようとする課題】
【０００６】
しかしながら、特許文献１に示されたものは、ファンケーシングがユニット本体側に固定され、送風ユニットの羽根車とモータのみが支持レールを介してユニット本体内にスライド自在に挿入設置される構成とされている。このため、送風ユニットが１組だけの空気調和機であれば、送風ユニットを着脱してメンテナンスする際、特に支障は生じないと考えられるが、両軸モータを用い、モータ軸の両端に各々羽根車を設けた送風ユニットを用いている空気調和機や送風ユニットが複数組並設されている空気調和機等の場合、適用が困難である等の課題があった。
【０００７】
また、特許文献２に示されたものは、一対の支持金具上に、ファンモータと一体化されているファンモータベースが上方から挿入載置される構成とされている。このため、支持金具の上方に一定のスペースを確保する必要があり、ユニット本体が大型化してしまうとともに、ユニット本体の天板に対して直接送風ユニットを架装している構成の天井埋め込み型空気調和機等には適用できない等の課題があった。
【０００８】
本発明は、このような事情に鑑みてなされたものであって、送風ユニットの組数に係わらず、送風ユニットのユニット本体に対する着脱を容易化できるとともに、ユニット本体の天板の変形や振動特性等を改善することができる天井埋め込み型空気調和機を提供することを目的とする。
【課題を解決するための手段】
【０００９】
上記した課題を解決するために、本発明の天井埋め込み型空気調和機は、以下の手段を採用する。
すなわち、本発明にかかる天井埋め込み型空気調和機は、天井内に設置される箱形状のユニット本体を備え、該ユニット本体内に熱交換器および送風ユニットが設置されている天井埋め込み型空気調和機において、前記送風ユニットは、略直角に屈曲され、一面が前記ユニット本体内を吸込み側領域と吹出し側領域とに仕切る鉛直な仕切り板、他面が該送風ユニットのファンおよびモータを支持する水平な支持板とされた支持部材と一体的に構成され、該送風ユニットは、前記ユニット本体の天板内面に一端側から他端側にかけて所定間隔で互いに平行に敷設された一対のレール部材に対して、前記支持部材の前記支持板を介して前記ユニット本体の一側面側に設けられている開口部から前記ユニット本体内にスライド自在に挿入設置されることにより、前記ユニット本体の天板に着脱自在に架装されているとともに、前記ファンの吹出し口が前記支持部材の前記仕切り板を貫通して吹出し側領域に吐出されていることを特徴とする。
【００１０】
本発明によれば、ユニット本体内に送風ユニットが設けられている天井埋め込み型空気調和機において、送風ユニットが、略直角に屈曲され、一面がユニット本体内を吸込み側領域と吹出し側領域とに仕切る鉛直な仕切り板、他面が該送風ユニットのファンおよびモータを支持する水平な支持板とされた支持部材と一体的に構成され、該送風ユニットが、ユニット本体の天板内面に一端側から他端側にかけて所定間隔で互いに平行に敷設された一対のレール部材に対して、支持部材の支持板を介してユニット本体の一側面側に設けられている開口部からユニット本体内にスライド自在に挿入設置されることにより、ユニット本体の天板に着脱自在に架装されているとともに、そのファンの吹出し口が支持部材の仕切り板を貫通して吹出し側領域に吐出されているため、送風ユニットをメンテナンスする際、ユニット本体の一側面側に設けられている開口部から、ユニット本体の天板に支持部材の支持板を介して架装されている送風ユニットを支持部材と共に一対のレール部材に沿ってユニット本体の一側面側に引き出し、送風ユニットを一体化されている支持部材ごと外部に取り出すことによってメンテナンスすることができる。従って、天井内に設置されているユニット本体内からの送風ユニットの取り出し、メンテナンスを容易化、効率化することができるとともに、一対のレール部材をユニット本体の天板の補強部材に兼用できることから、送風ユニットが設置される天板の変形や振動特性等を天板の板厚を増すことなく必要レベルに改善することができる。また、ファンの吹出し口から吹出される吹出し風を仕切り板によって仕切られているユニット本体内の吹出し側領域に直接吹出すことができるため、ユニット本体内を仕切る仕切り板と送風ユニットのファンの吹出し口との間に遮風部材等を設ける必要がなく、ユニット本体側の構成を簡素化することができるとともに、仕切り板の強度を上げることにより仕切り板を薄板化してコスト低減することができる。
【００１１】
さらに、本発明の天井埋め込み型空気調和機は、上記の天井埋め込み型空気調和機において、前記レール部材は、断面がクランク状に曲げ成形された板材により構成され、そのレール部分が互いに対向されて前記ユニット本体の天板内面に固定設置されていることを特徴とする。
【００１２】
本発明によれば、レール部材が、断面がクランク状に曲げ成形された板材により構成され、そのレール部分が互いに対向されてユニット本体の天板内面に固定設置されているため、クランク状に曲げ成形された板材の一辺を天板側への取付け部、他辺をレール部分としてユニット本体の天板内面に互いに対向設置することにより、クランク状の板材をユニット本体内に送風ユニットをスライド自在に挿入設置する一対のレール部材兼天板の補強部材とすることができる。従って、送風ユニット設置用レール部材を補強部材としてユニット本体の天板の変形や振動特性等を必要レベルに改善し、ユニット本体の構成の簡素化および低コスト化を図ることができる。
【００１３】
さらに、本発明の天井埋め込み型空気調和機は、上述のいずれかの天井埋め込み型空気調和機において、前記開口部には、蓋部材が着脱自在に設置されており、該蓋部材が制御ボックスの取付け台とされていることを特徴とする。
【００１４】
本発明によれば、ユニット本体の開口部に、蓋部材が着脱自在に設置されており、該蓋部材が制御ボックスの取付け台とされているため、ユニット本体内の送風ユニットをメンテナンスする際には、蓋部材と共に制御ボックスを取り外すことにより、開口部より送風ユニットを取り出してメンテナンスすることができるとともに、該蓋部材を制御ボックスの取付け台として共用化し、制御ボックスをユニット本体の外部側面に設置することができる。従って、メンテナンス時の着脱作業等を特に複雑化することなく、蓋部材と制御ボックスの取付け台とを共用化して、ユニット本体の構成を簡素化、低コスト化することができる。
【００１５】
さらに、本発明の天井埋め込み型空気調和機は、上述のいずれかの天井埋め込み型空気調和機において、前記送風ユニットは、複数組の前記ファンおよび前記モータにより構成され、この複数組のファンおよびモータは、少なくとも２以上の送風ユニット単位に分割され、各々がユニット単位で前記一対のレール部材を介して前記ユニット本体内にスライド自在に挿入設置されていることを特徴とする。
【００１６】
本発明によれば、送風ユニットが、複数組のファンおよびモータにより構成され、該複数組のファンおよびモータが、少なくとも２以上の送風ユニット単位に分割され、各々がユニット単位で一対のレール部材を介してユニット本体内にスライド自在に挿入設置されているため、ファンおよびモータが複数組設置される場合であっても、それらをユニット本体に対して着脱するときは、複数組のファンおよびモータを、少なくとも２以上に分割された送風ユニット単位で取り扱い、ユニット本体に挿入またはユニット本体から取り出すことができる。従って、複数組のファンおよびモータを一体で扱う必要がなく、メンテナンス時の取り扱いを容易化することができるとともに、天井に設けられている点検口を徒に大きくする必要もない。なお、複数組のファンおよびモータを２以上の送風ユニット単位に分割するには、例えばファンおよびモータが２組の場合、２組１ユニットもしくは１組毎の２ユニットに分割し、３組の場合は、１組毎の３ユニットもしくは１組ユニットと２組ユニットとの２ユニットに分割し、４組の場合は、１組毎の４ユニットまたは１組毎の２ユニットと２組ユニットとの３ユニットもしくは２組ユニットの２ユニットに分割する等の方法が考えられる。
【発明の効果】
【００１７】
本発明によると、送風ユニットをメンテナンスする際、ユニット本体の一側面側に設けられている開口部から、ユニット本体の天板に支持部材の支持板を介して架装されている送風ユニットを支持部材と共に一対のレール部材に沿ってユニット本体の一側面側に引き出し、送風ユニットを一体化されている支持部材ごと外部に取り出すことによってメンテナンスすることができるため、天井内に設置されているユニット本体内からの送風ユニットの取り出し、メンテナンスを容易化、効率化することができるとともに、一対のレール部材をユニット本体の天板の補強部材として兼用できることから、送風ユニットが設置される天板の変形や振動特性等を天板の板厚を増すことなく必要レベルに改善することができる。また、ファンの吹出し口から吹出される吹出し風を仕切り板により仕切られているユニット本体内の吹出し側領域に直接吹出すことができるため、ユニット本体内を仕切る仕切り板と送風ユニットのファンの吹出し口との間に遮風部材等を設ける必要がなく、ユニット本体側の構成を簡素化することができるとともに、仕切り板の強度を上げることにより仕切り板を薄板化してコスト低減することができる。
【図面の簡単な説明】
【００１８】
【図１】本発明の一実施形態に係る天井埋め込み型空気調和機の設置状態を示す概略側面図である。
【図２】図１に示す天井埋め込み型空気調和機のユニット本体を底板の一部を取り外して下方から見た状態の斜視図である。
【図３】図２に示すユニット本体内に組み込まれている送風ユニットの取れ出し状態を説明する斜視図（Ａ）、（Ｂ）、（Ｃ）である。
【図４】図２に示すユニット本体の送風ユニット設置部の拡大断面図である。
【発明を実施するための形態】
【００１９】
以下に、本発明の一実施形態について、図１ないし図４を参照して説明する。
図１には、本発明の一実施形態に係る天井埋め込み型空気調和機の設置状態を示す概略側面図が示され、図２には、そのユニット本体を底板の一部を取り外して下方から見た状態の斜視図が示されている。ここでは、天井埋め込み型空気調和機の一例としてダクトタイプの天井埋め込み型空気調和機について説明する。
天井埋め込み型空気調和機１のユニット本体２は、図１に示されるように、建屋の梁等に鉛直方向に設けられる複数本の吊りボルトを介して天井内に吊り下げ設置されるようになっている。
【００２０】
この天井埋め込み型空気調和機１は、室内側から吸込みグリル３、消音チャンバー４および吸込みダクト５を介して吸込んだ室内空気を冷媒と熱交換させて冷却または加熱した後、吹出しダクト６、消音チャンバー７および吹出しグリル８を介して室内に吹出すように構成されている。なお、天井面９には、天井埋め込み型空気調和機１のユニット本体２を点検あるいはメンテナンスするための点検口１０が設けられている。
【００２１】
ユニット本体２は、図２に示されるように、箱形状とされており、その内部には、冷媒と室内空気とを熱交換する室内熱交換器（図示省略）、室内空気を循環する複数組の送風ユニット１１、室内側交換器で発生したドレン水を受けるドレンパン、ドレンパン内に溜まったドレン水を外部に排出するためのドレンポンプ（いずれも図示省略）等が組み込まれている。また、外部には、左右両側面に吊りボルト用の金具１２が４箇所に設けられるとともに、前後の側面に吸込みダクト５および吹出しダクト６が接続される吸込み口１３および吹出し口１４が設けられ、更に一方の側面（図２の左側面）に制御箱１５が設けられている。
【００２２】
ユニット本体２の内部は、送風ユニット１１が配設されており、吸込みダクト５を介して室内空気が吸込まれる吸込み側領域１６と、送風ユニット１１からの吹出し風が吹出される吹出し側領域１７とに区画されており、吹出し側領域１７には図示省略の室内熱交換器等が配設され、ここで熱交換されて冷却または加熱された空気が吹出し口１４より吹出しダクト６を経て室内に吹出されるようになっている。
【００２３】
本実施形態の送風ユニット１１は、３台のシロッコファン１８Ａ，１８Ｂ，１８Ｃ（以下、単にファンと略称することもある。）と２台のモータ１９Ａ，１９Ｂとから構成されており、モータ１９Ａのモータ軸にシロッコファン１８Ａを連結することによって送風ユニット１１Ａを構成し、両軸モータとされたモータ１９Ｂのモータ軸両端に各々シロッコファン１８Ｂ，１８Ｃを連結することにより２台のファンと１台のモータとを一体化した送風ユニット１１Ｂを構成している。これによって、複数組のファンおよびモータを複数の送風ユニット１１Ａ，１１Ｂに分割し、少なくとも２以上の送風ユニット単位（送風ユニット１１Ａ，１１Ｂ）に分割するようにしている。
【００２４】
この送風ユニット１１Ａ，１１Ｂは、板材を略直角に屈曲して構成された支持部材２０Ａ，２０Ｂ（図３、図４参照）にブラケット等を介して組み付けられることにより、該支持部材２０Ａ，２０Ｂとそれぞれ一体化されている。更に、この支持部材２０Ａ，２０Ｂの一面である水平部分が、シロッコファン１８Ａおよび１８Ｂ，１８Ｃとモータ１９Ａおよび１９Ｂを、ブラケット等を介して取付け支持する支持板２１Ａ，２１Ｂとされ、他面である鉛直部分が、ユニット本体２内を吸込み側領域１６と吹出し側領域１７とに仕切る仕切り板２２Ａ，２２Ｂとされるように構成されている。
【００２５】
また、各シロッコファン１８Ａ，１８Ｂ，１８Ｃは、図４に示されるように、支持部材２０Ａ，２０Ｂに対して、それぞれファンケースの吹出し口２３が仕切り板２２Ａ，２２Ｂを貫通して吹出し側領域１７に突出されるように組み付けられている。なお、支持部材２０Ａ，２０Ｂの支持板２１Ａ，２１Ｂおよび仕切り板２２Ａ，２２Ｂの周縁には、フランジが直角に立ち上げられており、支持部材２０Ａ，２０Ｂとして必要な強度が確保されるように構成されている。
【００２６】
一方、送風ユニット１１Ａ，１１Ｂをユニット本体２に着脱自在に設置するため、図４に示されるように、ユニット本体２の天板２Ａの内面に、天板２Ａの左右方向の一端側から他端側にかけて一対のレール部材２４，２５が、所定の間隔をおいて互いに平行に敷設されている。この一対のレール部材２４，２５は、断面がクランク状に曲げ成形された厚板材によって構成されており、クランク状に曲げ成形された板材の一辺が天板２Ａ側への取付け部２４Ａ，２５Ａ、他辺がレール部分２４Ｂ，２５Ｂとされ、そのレール部分２４Ｂ，２５Ｂが互いに対向配置されるように天板２Ａの内面に固定設置されている。
【００２７】
上記一対のレール部材２４，２５間には、一端側から支持部材２０Ａ，２０Ｂの支持板２１Ａ，２１Ｂがスライド自在に挿入可能とされており、このレール部材２４，２５に対して、送風ユニット１１Ａ，１１Ｂを送風ユニット単位でユニット本体２の一側面（本例では、左側面）からスライド自在に挿入設置するため、ユニット本体２の一側面に、図３（Ａ）に示されるように、開口部２６が設けられている。斯くして、複数組の送風ユニット１１Ａ，１１Ｂは、一対のレール部材２４，２５に対して、支持部材２０Ａ，２０Ｂを介してスライド自在に支持され、ユニット本体２内に挿入またはユニット本体２内から取り出し可能に設置されている。
【００２８】
また、開口部２６は、着脱自在の蓋部材２７により閉鎖できるようになっており、この蓋部材２７を取り外すことによって、ユニット本体２内から送風ユニット１１Ａ，１１Ｂが順次取り出し可能とされている。さらに、蓋部材２７は、制御ボックス１５の取付け台として共用化されており、図２および図３（Ａ）に示されるように、その外面側に制御ボックス１５が着脱自在に設置されている。
【００２９】
なお、上記実施形態では、３台のシロッコファン１８Ａ，１８Ｂ，１８Ｃと２台のモータ１９Ａ，１９Ｂとから構成されている送風ユニット１１を、送風ユニット１１Ａ，１１Ｂの２ユニットに分割しているが、このように、複数組のファンおよびモータを２以上の送風ユニット単位に分割するのは、点検口１０を大きくすることなく、送風ユニット１１を点検口１０から取り出すことができるようにするためであり、ここでは、２台のシロッコファンを一体化した送風ユニット１１Ｂが最大の送風ユニット単位となるように分割している。
【００３０】
このようなユニット単位での分割は、ファンおよびモータの台数に応じて、例えば、ファンおよびモータが２組の場合には、２組１ユニットもしくは１組毎の２ユニットに分割し、３組の場合には、１組毎の３ユニットもしくは本実施形態の如く１組ユニットと２組ユニットとの２ユニットに分割し、４組の場合には、１組毎の４ユニットまたは１組毎の２ユニットと２組ユニットとの３ユニットもしくは２組ユニットの２ユニットに分割する等の方法が考えられる。
【００３１】
以上に説明の構成により、本実施形態によれば、以下の作用効果を奏する。
上記空気調和機１が運転されると、送風ユニット１１が駆動され、３台のシロッコファン１８Ａ，１８Ｂ，１８Ｃの回転により、室内空気が吸込みグリル３、消音チャンバー４および吸込みダクト５を介してユニット本体２内の吸込み側領域１６に吸込まれ、そこからシロッコファン１８Ａ，１８Ｂ，１８Ｃにより吹出し側領域１７へと吹出される。この空気は、吹出し側領域１７に設けられている室内熱交換器で冷却または加熱された後、吹出しダクト６、消音チャンバー７および吹出しグリル８を介して室内に吹出され、室内の空調に供される。
【００３２】
一方、空気調和機１を点検あるいはメンテナンスする必要が生じた場合、天井面９に設けられている点検口１０を開け、ユニット本体２に対してアクセスすることになる。制御ボックス１５等のように、ユニット本体２の外部に設けられている機器の点検、メンテナンスは、制御ボックス１５の蓋を開けてそのまま、あるいは制御ボックス１５を取り外して行えばよいが、ユニット本体２の内部に設けられている機器は、ユニット本体２から取り出し、点検口１０より室内側に取り出して行うのが通常である。
【００３３】
本実施形態の場合、ユニット本体２内に設置されている送風ユニット１１Ａ，１１Ｂの点検、メンテナンスは、以下により行われる。
まず、図３（Ａ）に示されるように、蓋部材２７を制御ボックス１５と共にユニット本体２から取り外し、開口部２６を開放する。これによって、送風ユニット１１がユニット本体２の一側面側に取り出し可能となる。送風ユニット１１は、複数組の送風ユニット単位（送風ユニット１１Ａ，１１Ｂ）に分割されているため、先に手前側の送風ユニット１１Ａを、図３（Ｂ）に示されるように、支持部材２０Ａごと一対のレール部材２４，２５に沿ってユニット本体２の一側面側に引き出すことにより、ユニット本体２から取り外すことができる。なお、この送風ユニット１１Ａは、点検口１０から室内側に取り出すことにより、然るべく点検、メンテナンスを行うことができる。
【００３４】
次に、奥側の送風ユニット１１Ｂを、送風ユニット１１Ａと同様に、図３（Ｃ）に示されるように、支持部材２０Ｂごと一対のレール部材２４，２５に沿ってユニット本体２の一側面側に引き出すことによって、ユニット本体２から取り外すことができる。この送風ユニット１１Ｂは、２台のシロッコファン１８Ｂ，１８Ｃが一体化されているため、送風ユニット１１Ａの２倍程度の長さ方向寸法を有しているが、点検口１０から取り出すことができる程度の大きさであり、点検口１０から室内側に取り出すことによって、然るべく点検、メンテナンスを行うことができる。
【００３５】
このように、ユニット本体２の天板２Ａ側に送風ユニット１１が架装されており、しかもその送風ユニット１１Ａ，１１Ｂが複数組並設されている天井埋め込み型空気調和機１や両軸モータ１９Ｂを用いた送風ユニット１１Ｂが組み込まれている構成の天井埋め込み型空気調和機１であっても、送風ユニット１１Ａ，１１Ｂを支持部材２０Ａ，２０Ｂごとレール部材２４，２５に沿って引き出し、ユニット本体２から取り外すことにより、室内側において容易に点検、メンテナンスすることができる。また、ユニット本体２の天板２Ａに一対のレール部材２４，２５を敷設することにより、これを天板２Ａの補強部材として機能させることができる。
【００３６】
斯くして、本実施形態によれば、送風ユニット１１Ａ，１１Ｂを支持部材２０Ａ，２０Ｂと共に一対のレール部材２４，２５に沿ってユニット本体２の一側面側に引き出し、送風ユニット１１Ａ，１１Ｂを一体化されている支持部材２０Ａ，２０Ｂごと外部に取り出すことによって、点検、メンテナンスすることができるため、天井内に設置されているユニット本体２内からの送風ユニット１１Ａ，１１Ｂの取り出し、点検、メンテナンスを容易化、効率化することができる。また、一対のレール部材２４，２５をユニット本体２の天板２Ａの補強部材に兼用できることから、送風ユニット１１が設置される天板２Ａの変形や振動特性等を天板２Ａの板厚を増すことなく必要レベルに改善することができる。
【００３７】
また、送風ユニット１１を構成しているシロッコファン１８Ａ，１８Ｂ，１８Ｃの吹出し口２３が、支持部材２０Ａ，２０Ｂの仕切り板２２Ａ，２２Ｂを貫通して吹出し側領域１７に突出されている。このため、シロッコファン１８Ａ，１８Ｂ，１８Ｃの吹出し口２３から吹出される吹出し風を、仕切り板２２Ａ，２２Ｂによって仕切られているユニット本体２内の吹出し側領域１７に直接吹出すことができ、これによって、ユニット本体２内を仕切る仕切り板２２Ａ，２２Ｂとシロッコファン１８Ａ，１８Ｂ，１８Ｃの吹出し口２３との間に遮風部材等を設ける必要がなくなり、ユニット本体２側の構成を簡素化することができる。
【００３８】
また、一対のレール部材２４，２５が、断面がクランク状に曲げ成形された板材により構成され、そのレール部分２４Ｂ，２５Ｂが互いに対向されてユニット本体２の天板２Ａ内面に固定設置された構成とされているため、クランク状に曲げ成形された板材の一辺を天板２Ａ側への取付け部２４Ａ，２５Ａ、他辺をレール部分２４Ｂ，２５Ｂとしてユニット本体２の天板２Ａ内面に互いに対向設置することにより、クランク状の板材をユニット本体２内に送風ユニット１１Ａ，１１Ｂをスライド自在に挿入設置する一対のレール部材２４，２５兼天板２Ａの補強部材とすることができる。従って、送風ユニット設置用レール部材２４，２５を補強部材としてユニット本体２の天板２Ａの変形や振動特性等を必要レベルに改善し、ユニット本体２の構成の簡素化、低コスト化を図ることができる。
【００３９】
また、本実施形態においては、ユニット本体２の開口部２６に、蓋部材２７を着脱自在に設置し、この蓋部材２７を制御ボックス１５の取付け台としている。このため、ユニット本体２内の送風ユニット１１Ａ，１１Ｂをメンテナンスする際には、蓋部材２７と共に制御ボックス１５を取り外すことにより、開口部２６より送風ユニット１１Ａ，１１Ｂを取り出してメンテナンスすることができるとともに、蓋部材２７を制御ボックス１５の取付け台として共用化し、制御ボックス１５をユニット本体２の外部側面に設置することができる。従って、メンテナンス時の着脱作業等を特に複雑化することなく、蓋部材２７と制御ボックス１５の取付け台とを共用化して、ユニット本体２の構成を簡素化、低コスト化することができる。
【００４０】
さらに、送風ユニット１１が、複数組のシロッコファン１８Ａ，１８Ｂ，１８Ｃおよびモータ１９Ａ，１９Ｂにより構成され、これが少なくとも２以上の送風ユニット単位（送風ユニット１１Ａ，１１Ｂ）に分割され、各々が送風ユニット１１Ａ，１１Ｂ単位で一対のレール部材２４，２５を介してユニット本体２内にスライド自在に挿入設置されているため、ファンおよびモータが複数組設置される場合であっても、それらをユニット本体２に対して着脱するときは、複数組のシロッコファン１８Ａ，１８Ｂ，１８Ｃおよびモータ１９Ａ，１９Ｂを、少なくとも２以上に分割された送風ユニット１１Ａ，１１Ｂ単位で取り扱い、ユニット本体２内に挿入またはユニット本体２から取り出すことができる。従って、複数組のシロッコファン１８Ａ，１８Ｂ，１８Ｃおよびモータ１９Ａ，１９Ｂを一体で扱う必要がなく、メンテナンス時の取り扱いを容易化することができるとともに、天井面９に設けられている点検口１０を徒に大きくする必要もない。
【００４１】
なお、本発明は、上記実施形態にかかる発明に限定されるものではなく、その要旨を逸脱しない範囲において、適宜変形が可能である。例えば、送風ユニット１１として、シロッコファン１８Ａ，１８Ｂ，１８Ｃを３台、モータ１９Ａ，１９Ｂを２台用いた例について説明したが、ファンおよびモータに台数は、制限されるものではなく、３台以下または以上であってもよい。
また、ファンとしてシロッコファンを用いた例について説明したが、これに限定されるものではなく、他のプロペラファン等を用いたものにも同様に適用できることはもちろんである。
【符号の説明】
【００４２】
１  天井埋め込み型空気調和機
２  ユニット本体
２Ａ  天板
１１  送風ユニット
１１Ａ，１１Ｂ  送風ユニット（送風ユニット単位）
１５  制御ボックス
１６  吸込み側領域
１７  吹出し側領域
１８Ａ，１８Ｂ，１８Ｃ  シロッコファン（ファン）
１９Ａ，１９Ｂ  モータ
２０Ａ，２０Ｂ  支持部材
２１Ａ，２１Ｂ  支持板
２２Ａ，２２Ｂ  仕切り板
２３  吹出し口
２４，２５  レール部材
２４Ｂ，２５Ｂ  レール部分
２６  開口部
２７  蓋部材
【図１】
0005832135.tif 000002
【図２】
0005832135.tif 000003
【図３】
0005832135.tif 000004
【図４】
0005832135.tif 000005